(57)【要約】【課題】ボールにトップスピンがかかり易く、かつこのトップスピンのかけ易さの温度依存性が小さいパターヘッドを提供する。【解決手段】ヘッド本体２の前面（フェース面）に凹部２Ｈが設けられ、この凹部２Ｈ内にフェースインサート３が配置されている。フェースインサート３には、左右方向に延在するスリット３ａが上下多段に設けられ、各スリット３ａに粘弾性材３ｂが充填されている。粘弾性材としてはゴム、エラストマー、軟質合成樹脂などが用いられる。スリット３ａは、フェース面側の上下幅が小さく、後面側の上下幅が大きくなっている。スリット３ａのフェース面側に、該スリット３ａの上下幅を小さくするように垂下部３ｃが設けられている。【選択図】図２
2012125503.tif 000002
【特許請求の範囲】
【請求項１】
ヘッド本体のフェース面にフェースインサートを装着したパターヘッドにおいて、
該フェースインサートに、トウ・ヒール方向に延在するスリットが上下多段に設けられており、
該スリットのフェース面側に、該スリットの上下幅を小さくするように垂下部が設けられており、
該スリットに粘弾性材が充填されていることを特徴とするパターヘッド。
【請求項２】
請求項１において、前記スリットのフェースインサート後面における上下幅は、フェース面におけるスリットの上下幅の１．４〜４．０倍であることを特徴とするパターヘッド。
【請求項３】
請求項１又は２において、前記スリットの上下方向の配列ピッチが２．４〜５．８ｍｍであることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。
【背景技術】
【０００２】
ゴルフのパターは、主としてグリーン上においてボールをヒットしてボールをカップに向けて転がす用途に用いられるクラブである。特開２００７−１１７６３５には、パターヘッドのフェース面にフェースインサートを装着して打感を柔らかくすることが記載されている。
【０００３】
特開２００１−６２００８には、フェース面の下部に合成樹脂発泡体を一体に設けることによりトップスピンをかけ易くしたパターヘッドが記載されている。しかしながら、合成樹脂発泡体は特性の温度依存性が強いので、気温によってトップスピンのかかり方がかなり変化する。
【先行技術文献】
【特許文献】
【０００４】
【特許文献１】特開２００７−１１７６３５
【特許文献２】特開２００１−６２００８
【発明の概要】
【発明が解決しようとする課題】
【０００５】
本発明は、通常のパターに比べボールを打った時にボールのバックスピンが減少し、ひいては、ボールにトップスピンがかかり易く、かつこのトップスピンのかけ易さの温度依存性が小さいパターヘッドを提供することを目的とする。
【課題を解決するための手段】
【０００６】
請求項１のパターヘッドは、ヘッド本体のフェース面にフェースインサートを装着したパターヘッドにおいて、該フェースインサートに、トウ・ヒール方向に延在するスリットが上下多段に設けられており、該スリットのフェース面側に、該スリットの上下幅を小さくするように垂下部が設けられており、該スリットに粘弾性材が充填されていることを特徴とするものである。
【０００７】
請求項２のパターヘッドは、請求項１において、前記スリットのフェースインサート後面における上下幅は、フェース面におけるスリットの上下幅の１．４〜４．０倍であることを特徴とするものである。
【０００８】
請求項３のパターヘッドは、請求項１又は２において、前記スリットの上下方向の配列ピッチが２．４〜５．８ｍｍであることを特徴とするものである。
【発明の効果】
【０００９】
本発明のパターヘッドのフェースインサートには、トウ・ヒール方向に延在するスリットが上下多段に設けられ、該スリットに粘弾性材が充填されている。各スリットのフェース面側に、該スリットの上下幅を小さくするように垂下部が設けられている。このため、ボールをヒットしたときに、この垂下部が後退し、バックスピンが減少し、ボールにトップスピンがかかり易いものとなり、ヒットされたボールの直進性が良好となる。
【図面の簡単な説明】
【００１０】
【図１】（ａ）図は実施の形態に係るパターヘッドの分解斜視図、（ｂ）図はこのパターヘッドの正面図、（ｃ）図は（ｂ）図のＣ−Ｃ線断面図である。
【図２】図１（ａ）のII−II線断面図である。
【図３】図２のIIIa−IIIa，IIIｂ−IIIｂ，IIIc−IIIc線に沿う断面図である。
【図４】粘弾性材を取り除いたフェースインサート本体部分の断面斜視図である。
【図５】別の実施の形態に係るパターヘッドのフェースインサートの断面図である。
【図６】異なる実施の形態に係るパターヘッドの断面図である。
【図７】（ａ）図は、さらに異なる実施の形態に係るパターヘッドの正面図、（ｂ）図は（ａ）図のＢ−Ｂ線断面図である。
【発明を実施するための形態】
【００１１】
以下、図面を参照して実施の形態について説明する。
【００１２】
第１図〜第４図は第１の実施の形態に係るパターヘッド１を示すものである。このパターヘッド１では、ヘッド本体２の前面（フェース面）に凹部２Ｈが設けられ、この凹部２Ｈ内にフェースインサート３が配置されている。この実施の形態では、ヘッド本体２はアルミ合金、チタン合金、銅合金、ステンレスなどの金属製である。フェースインサート３の本体部分（後述の粘弾性材３ｂ以外の部分）は、ポリエステル、ナイロン、ウレタンなどの合成樹脂又はアルミ合金、銅合金、ステンレスなどの金属よりなる。フェースインサート３の前面と、凹部２Ｈの周囲のヘッド本体２の前面とは面一である。
【００１３】
凹部２Ｈ及びフェースインサート３は、横長の略長方形状である。凹部２Ｈの深さは全体として均一であり、フェースインサート３の厚さも全体として均一である。ただし、部分的に深い箇所及び厚い部位を設けたり、逆に部分的に浅い箇所及び薄い部位を設けてもよい。
【００１４】
フェースインサート３の左右幅及び上下幅は凹部２Ｈよりも若干小さいものとなっており、フェースインサート３の上下左右の側面３Ｓと凹部２Ｈの周面２Ｓとの間には若干の空隙４があいている。この空隙４の幅は０．３〜１．５ｍｍ特に０．４〜１．０ｍｍ程度が好適である。フェースインサート３の大きさは上下幅が１６〜３０ｍｍ特に１８〜２５ｍｍ、左右幅が５０〜１５０ｍｍ特に７０〜１００ｍｍ、厚さが２〜１０ｍｍ特に３〜８ｍｍ程度が好ましいが、これに限定されない。
【００１５】
このフェースインサート３には、第２〜４図の通り、左右方向に延在するスリット３ａが上下多段に設けられ、各スリット３ａに粘弾性材３ｂが充填されている。粘弾性材としてはゴム、エラストマー、軟質合成樹脂などが用いられる。
【００１６】
スリット３ａは、フェースインサート３の左端近傍から右端近傍まで延在している。スリット３ａは、フェース面側の上下幅が小さく、後面側の上下幅が大きくなっている。スリット３ａの上下幅は、フェースインサート３の厚み方向の途中で段差状に大きくなっている。各スリット３ａの直上のフェースインサート本体部分は、フェース面側に垂下部３ｃを有した逆Ｌ字形断面形状となっている。
【００１７】
スリット３ａのフェース面側の上下幅は０．８〜２．０ｍｍ特に１．０〜１．６ｍｍ程度が好適である。スリット３ａの後面側の上下幅はフェース面側の上下幅の１．４〜４倍程度が好適である。垂下部３ｃの厚み（フェース面と垂直方向の厚み）は０．５〜２．０ｍｍ特に０．８〜１．２ｍｍ程度が好適である。スリット３ａの上下方向の配列ピッチは２．４〜５．８ｍｍ特に３．４〜４．６ｍｍ程度が好適である。
【００１８】
フェースインサート３は、第２図の左側面がパターのフェース前面となるように凹部２Ｈ内に配置され、反対側が接着剤によって凹部２Ｈの奥壁面に接着される。接着剤としては、エポキシ系接着剤、ゴム系接着剤、両面テープなどが好適であるが、これに限定されない。
【００１９】
このように構成されたパターヘッド１のホゼル部１ｈにシャフトを連結することによりパターが構成される。このパターでパッティング（グリーン上のボールをフェース面で打つこと）すると、ボールをヒットしたときにフェースインサート３の垂下部３ｃが若干後退することにより、トップスピンがかかり易くなり、ヒットされたボールの直進性が良好となる。垂下部３ｃの後退し易さは気温には殆ど影響を受けないので、トップスピンのかかり易さの温度依存性は殆どない。
【００２０】
上記実施の形態では、垂下部３ｃの後面側は略鉛直面となっているが、本発明では、第５図（ａ），（ｂ），（ｃ），（ｄ）のフェースインサート１１〜１４のように、垂下部１１ｃ〜１４ｃの後面側の形状を上記とは異ならせてもよい。第５図の（ａ）では垂下部１１ｃの後面は、フェース面に連なり、そこから後方へ斜めに上昇する斜面となっている。（ｂ）ではフェースインサート１２の厚み方向の途中において、垂下部１２ｃが上部ほど後方となるように傾斜している。（ｃ）では垂下部１３ｃの後面が凹に湾曲した曲面となっている。（ｄ）ではフェースインサート１２の厚み方向の途中において、垂下部１２ｄが上部ほど前方となるように傾斜している。
【００２１】
第５図（ａ），（ｂ），（ｃ），（ｄ）のいずれにおいても、各スリット１１ａ〜１４ａに粘弾性材１１ｂ〜１４ｂが充填されている。
【００２２】
上記実施の形態では、フェースインサートの本体部分と粘弾性材との前面が面一であり、フェースインサートの前面は平坦となっているが、粘弾性材をフェースインサート本体部よりも０．０５〜１．１ｍｍ程度後退させてもよい。
【００２３】
第１図では、フェースインサート３の周囲に空隙４を形成しているが、第６図のようにこの空隙に、ゴム、エラストマー、合成樹脂などの粘弾性材８を配材してもよい。また、第７図のパターヘッド１’のように、空隙４が生じないようにフェースインサート３を凹部２Ｈにぴったりと嵌まるように構成してもよい。
【００２４】
第６，７図のその他の構成は第１図と同様であり、同一符号は同一部分を示している。なお、フェースインサート３の側面３Ｓと凹部２Ｈの周面２Ｓとの間に空隙４や粘弾性材８を設けると、フェースインサートの反発特性は設計通りになるという効果が得られる。
【符号の説明】
【００２５】
１，１’  パターヘッド
２  ヘッド本体
２Ｈ  凹部
３，１１〜１４  フェースインサート
３ａ，１１ａ，１２ａ，１３ａ，１４ａ  スリット
３ｂ，１１ｂ，１２ｂ，１３ｂ，１４ｂ  粘弾性材
３ｃ、１１ｃ，１２ｃ，１３ｃ，１４ｃ  垂下部
【図１】
2012125503.tif 000003
【図２】
2012125503.tif 000004
【図３】
2012125503.tif 000005
【図４】
2012125503.tif 000006
【図５】
2012125503.tif 000007
【図６】
2012125503.tif 000008
【図７】
2012125503.tif 000009